(57)【要約】    【課題】  廃棄された枚葉紙から情報を読み取られることなく、用紙に再生し得るように処理するようにした処理装置を提供する。    【解決手段】  廃棄された枚葉紙(70)を積層して蓄積し、蓄積された枚葉紙を送出しロール(13)によって１枚ずつ送り出す枚葉紙ボックス(10)と、送り出された枚葉紙の情報記録面に遮蔽情報を上書する遮蔽情報記録手段(30)と、遮蔽情報が上書されて記録情報が隠された枚葉紙を受ける受け函(40)とを備える。遮蔽情報記録手段は感光ドラム(35)、帯電ローラ(31)、光照射機構(32)、トナー供給手段(33)、及び定着ローラ(36)から構成されることができる。【選択図】  図１
2010078740.tif 000002
【特許請求の範囲】
【請求項１】
廃棄された枚葉紙(70)を積層して蓄積し、蓄積された枚葉紙(70)を送出しロール(13)によって１枚ずつ送り出す枚葉紙ボックス(10)と、
送り出された枚葉紙(70)の情報記録面に遮蔽情報を上書する遮蔽情報記録手段(30)と、
遮蔽情報が上書されて記録情報が隠された枚葉紙(70)を受ける受け函(40)と、
を備えたことを特徴とする廃棄紙再生用の処理装置。
【請求項２】
上記遮蔽情報記録手段(30)は、
外周面に廃棄された枚葉紙(70)の情報を隠すような遮蔽情報の潜像が形成され、該潜像にトナーが供給されて遮蔽情報が現像され、紙送りされる枚葉紙(70)に遮蔽情報を転写する感光ドラム(35)、
該感光ドラム(35)の外周面を帯電させる帯電ローラ(31)、
上記感光ドラム(35)の外周面に遮蔽情報に対応して光を照射することによって潜像を形成する光照射機構(32)、
上記感光ドラム(35)にトナーを供給するトナー供給手段(33)、及び
上記転写された遮蔽情報を枚葉紙(70)に定着させる定着ローラ(36)、から構成されている請求項１記載の廃棄紙再生用の処理装置。
【請求項３】
上記枚葉紙ボックス(10)から送り出された枚葉紙(70)を上記遮蔽情報記録手段(30)及び受け函(40)に向けて送る紙送り機構(20)を更に備えた請求項１又は２記載の廃棄紙再生用の処理装置。
【発明の詳細な説明】
【技術分野】
【０００１】
この発明は廃棄紙再生用の処理装置に関し、特に廃棄された枚葉紙から情報を読み取られることなく、用紙に再生し得るように処理するようにした装置に関する。
【背景技術】
【０００２】
例えば、コンピュータ印字やコピーを行った用紙には重要な情報や秘密にすべき情報が記録されていることがあり、使い終わった後これらの用紙をそのまま廃棄することは好ましくない。
【０００３】
従来、これらの廃棄紙はシュレッダーにかけて細断し、記録された情報を読み取れないようにすることが行われていたが、シュレッダーによって細断すると、パルプ繊維も細かく破断されてしまい、用紙に再生することは難しく、水稲育苗用マットなどに利用するしかなかった（特許文献１）。
【０００４】
他方、プリンター連続用紙に接着剤を塗布し、所定長さごとに折り曲げて一体化して古紙ブロックとすることにより、用紙の情報が読み取られず、しかもパルプ繊維の長さを維持し、用紙に再生できるようにした方法が提案されている（特許文献２）。
【０００５】
【特許文献１】特開平１１−５０４００号公報
【特許文献２】特許第２５９５３９７号公報
【発明の開示】
【発明が解決しようとする課題】
【０００６】
最近使用される用紙の大部分は枚葉紙であるが、特許文献２記載の方法はプリンター連続用紙の処理を対象としているので、枚葉紙の処理に適用することはできない。
【０００７】
本発明はかかる問題点に鑑み、廃棄された枚葉紙から情報を読み取られることなく、用紙に再生し得るように処理するようにした廃棄紙再生用の処理装置を提供することを課題とする。
【課題を解決するための手段】
【０００８】
そこで、本発明に係る廃棄紙再生用の処理装置は、廃棄された枚葉紙を積層して蓄積し、蓄積された枚葉紙を送出しロールによって１枚ずつ送り出す枚葉紙ボックスと、送り出された枚葉紙の情報記録面に遮蔽情報を上書する遮蔽情報記録手段と、遮蔽情報が上書されて記録情報が隠された枚葉紙を受ける受け函と、を備えたことを特徴とする。
【０００９】
本発明の特徴は処理すべき枚葉紙の上から遮蔽情報を記録し、枚葉紙に記録された情報を読み取れないようにした点にある。
【００１０】
これにより、廃棄すべき枚葉紙から情報が読み取られることがなく、又パルプ繊維が細かく破断されていないので、用紙に再生することができ、その有用性は大きい。
【００１１】
遮蔽情報記録手段は枚葉紙の情報記録面に遮蔽情報を上書することができればよく、例えば遮蔽情報をプリントアウトするプリンターを用いてよいが、コスト高になるおそれがある。そこで、公知の複写装置を採用すると、低コストで枚葉紙の処理を行うことができる。
【００１２】
即ち、遮蔽情報記録手段は、外周面に廃棄された枚葉紙の情報を隠すような遮蔽情報の潜像が形成され、該潜像にトナーが供給されて遮蔽情報が現像され、紙送りされる枚葉紙に遮蔽情報を転写する感光ドラム；  該感光ドラムの外周面を帯電させる帯電ローラ；  上記感光ドラムの外周面に遮蔽情報に対応して光を照射することによって潜像を形成する光照射機構；  上記感光ドラムにトナーを供給するトナー供給手段；  及び、上記転写された遮蔽情報を枚葉紙に定着させる定着ローラ、から構成されることができる。
【００１３】
遮蔽情報は枚葉紙の記録情報を読取不可能にできればどのような情報であってもよいが、記録情報が文字の場合には遮蔽情報に文字を採用すると、記録情報を実質的に読めない程度に遮蔽できることが確認された。また、遮蔽情報は記録の都度変更する、例えば枚葉紙の記録情報の量や記録の位置等に対応してユーザの選択又は自動的に変更するようにしてもよいが、遮蔽情報を予め設定して同一の情報を上書するようにしてもよい。
【００１４】
多数の枚葉紙を処理する上で、枚葉紙ボックスから送り出された枚葉紙を遮蔽情報記録手段及び受け函に向けて送る紙送り機構を更に備えるのが好ましい。
【発明を実施するための最良の形態】
【００１５】
以下、本発明を図面に示す具体例に基づいて詳細に説明する。図１は本発明に係る廃棄紙再生用の処理装置の好ましい実施形態を示す。図において、処理装置は枚葉紙ボックス１０、紙送り機構２０、遮蔽情報記録手段３０及び受け函４０、から構成されている。
【００１６】
枚葉紙ボックス１０は錠付きの開閉蓋１２を備え、内部には廃棄される枚葉紙７０が投入され、重量又はばね部材によって付勢された押えロール１１によって押えられるようになっている。
【００１７】
また、枚葉紙ボックス１０の底部には枚葉紙７０の送り出し口１４が形成されるとともに、モータ駆動されて最下方の枚葉紙７０を送り出す送出しローラ１３が設けられている。
【００１８】
紙送り機構２０には上下のガイドプレート２１が枚葉紙ボックス１０の送り出し口１４に連通して設けられ、ガイドプレート２１には複数対の送りローラ２３が間隔をあけて設けられ、送りローラ２３は駆動モータ（図示せず）によって駆動され、枚葉紙ボックス１０から送り出された枚葉紙７０がガイドプレート２１間を送られるようになっている。
【００１９】
遮蔽情報記録手段３０は感光ドラム３５、押圧ローラ３４、帯電ローラ３１、光照射ランプ３２、トナー供給ローラ３３、定着ローラ３６から構成されている。
【００２０】
感光ドラム３５は押圧ローラ３４との間で送られる枚葉紙７０を挟むように構成され、又感光ドラム３５には帯電ローラ３１、光照射ランプ３２及びトナー供給ローラ３３が回転方向に配列して設けられている。
【００２１】
定着ローラ３６は感光ドラム３５を通過した枚葉紙７０を加熱することによってトナーを定着させるようになっている。
【００２２】
コンピュータ印字されあるいはコピーされた枚葉紙７０を廃棄する場合、枚葉紙ボックス１０の蓋１２をあけて枚葉紙７０を投入する。枚葉紙７０がある程度溜まると、送出しローラ１３によって枚葉紙７０を１枚ずつ枚葉紙ボックス１０から送り出す。送り出された枚葉紙７０は送りローラ２３によってガイドプレート２１間を感光ドラム３５まで送られる。
【００２３】
感光ドラム３５は矢印Ａの方向に回転されており、帯電ローラ３１によって感光ドラム３５の外周面がドラム幅方向の全幅にわたって＋の電荷に帯電される。光照射ランプ３２は制御ユニット３７から予め記憶された遮蔽情報に応じて駆動され、感光ドラム３５の外周面に遮蔽情報に応じて光を照射する。感光ドラム３５の外周面が光照射ランプ３２によって光の照射を受けると、光の照射を受けなかった箇所の電荷が残り、これによって遮蔽情報の潜像が形成される。
【００２４】
感光ドラム３５がさらに回転され、トナー供給ローラ３３によってトナーが供給されると、残った電荷にトナーが吸着され、これによって遮蔽情報の現像が形成される。
【００２５】
感光ドラム３５がさらに回転すると、感光ドラム３５と押圧ローラ３４によって挟まれた枚葉紙７０に感光ドラム３５の外周面の現像が転写され、定着ローラ３６によって加熱されることによってトナーが定着され、これによって記録情報が遮蔽情報によって上書されて読み取れなくなった枚葉紙７１が得られ、枚葉紙７１は受け函４０に送り込まれて蓄積される。
【００２６】
所望の枚数の枚葉紙７１が溜まると、枚葉紙７１を受け函４９から取り出して再生工程に送り、用紙の再生を行うことができるが、枚葉紙７１は遮蔽情報が上書されているので、重要な情報などが読み取られることはない。
【図面の簡単な説明】
【００２７】
【図１】本発明に係る廃棄紙再生用の処理装置の好ましい実施形態を示す構成図である。
【符号の説明】
【００２８】
１０      枚葉紙ボックス
２０      紙送り機構
２１      ガイドプレート
２３      送りローラ
３０      遮蔽情報記録手段
３１      帯電ローラ
３２      光照射ランプ
３３      トナー供給ローラ
３５      感光ドラム
３６      定着ローラ
４０      受け函
７０、７１      枚葉紙
【図１】
2010078740.tif 000003